(57)【要約】【課題】印刷媒体の真贋を判定する電子透かしとユーザ用の簡易な情報入力手段としての電子透かしを有する印刷媒体を用いた情報処理システムを得る【解決手段】不可視透明インキによって電子透かしパターンを埋め込んだ第１の券面パターンが印刷され、更に、可視インキによって電子透かしパターンを埋め込んだ第２の券面パターンが印刷された印刷媒体を用い、真贋判定端末装置に、前記第１の券面パターンと前記第２の券面パターンを撮影させて画像データを取得させ、各画像データから、電子透かしによって埋め込んだ電子透かし情報を抽出させることで前記印刷媒体の真贋を判定させ、一方で、ユーザの携帯端末装置には、カメラで前記印刷媒体を撮影させて前記第２の券面パターンの画像データを取得させ、該画像データから、電子透かしによって埋め込んだ電子透かし情報を抽出させることで該電子透かし情報に従ったユーザサービスを提供させる。【選択図】図２
2020005087.tif 000002
【特許請求の範囲】
【請求項１】
印刷媒体と、情報管理サーバと、真贋判定端末装置と、ユーザの携帯端末装置で構成する情報処理システムであって、
前記印刷媒体には、不可視透明インキによって、電子透かしパターンを埋め込んだ第１の券面パターンを印刷し、更に、可視インキによって、電子透かしパターンを埋め込んだ第２の券面パターンを印刷し、
前記印刷媒体を前記真贋判定端末装置の撮影手段で撮影させて、前記第１の券面パターンの画像データと前記第２の券面パターンの画像データを取得させ、前記真贋判定端末装置と前記情報管理サーバを連携させて該画像データから電子透かしパターンによって埋め込んだ電子透かし情報を抽出し、第１の券面パターンに埋め込んだ電子透かし情報と第２の券面パターンに埋め込んだ電子透かし情報からＩＤ情報を算出し、該ＩＤ情報を前記情報管理サーバの記憶するデータと比較することで、前記印刷媒体の真贋を判定し、
一方で、ユーザの携帯端末装置には、カメラで前記印刷媒体を撮影させて前記第２の券面パターンの画像データを取得させ、前記携帯端末装置と前記情報管理サーバを連携させて該画像データから第２の券面パターンに埋め込んだ電子透かし情報を抽出し、前記情報管理サーバが、該電子透かし情報に従ってユーザサービス情報を作成して前記携帯端末装置に送信する
ことを特徴とする情報処理システム。
【請求項２】
印刷媒体と、情報管理サーバと、真贋判定端末装置と、ユーザの携帯端末装置で構成する情報処理システムで用いる印刷媒体であって、
不可視透明インキによって電子透かしパターンを埋め込んだ第１の券面パターンが印刷され、更に、可視インキによって電子透かしパターンを埋め込んだ第２の券面パターンが印刷され、
前記真贋判定端末装置に、前記第１の券面パターンと前記第２の券面パターンを撮影させて画像データを取得させ、各画像データから、電子透かしによって埋め込んだ電子透かし情報を抽出させることで、前記真贋判定端末装置と前記報管理サーバを連携させて前記印刷媒体の真贋を判定させ、
一方で、ユーザの携帯端末装置には、カメラで前記印刷媒体を撮影させて前記第２の券面パターンの画像データを取得させ、該画像データから、電子透かしによって埋め込んだ電子透かし情報を抽出させることで、前記携帯端末装置と前記情報管理サーバを連携させて該電子透かし情報に従ったユーザサービスを提供させる
ことを特徴とする印刷媒体。
【発明の詳細な説明】
【技術分野】
【０００１】
本発明は、身分証明書、入構許可証、通行許可証など各種の証明を行うためのＩＤカードや、商品券、株券などの有価証券類、保険証書、領収証などの証書類をはじめとする印刷媒体、あるいは、真贋を判定すべき商品のラベルに電子透かしを印刷した印刷媒体を用いて、偽造防止をするとともに、ユーザに印刷媒体の電子透かしから情報を読み取らせる情報処理システム及び印刷媒体に関する。
【背景技術】
【０００２】
電子透かしは印刷媒体に、印刷パターンのデザインを損なわず情報に紐づけできるコードを埋め込むことができる。同様の利用法が可能なコードにはバーコード、二次元コード等があるが、電子透かしは印刷媒体や商品のパッケージデザインに、絵柄のデザイン性を損なわずコードを埋め込めることに特徴がある。
【０００３】
電子透かしを真贋判定に利用する例として、特許文献１では、印刷媒体に、コピー機では再現できないほどの網点を使用して電子透かしを埋め込んだ印刷パターンを印刷する。そして、特殊な高解像度のカメラで撮影して、その画像データを真贋判定端末装置に取り込んで、埋め込んだ電子透かしの検出の有無により、印刷物の真贋を判定している。特殊カメラは一般に普及されていないので、セキュリティ性が高い用途向けに利用できる。
【０００４】
また、特許文献２では、印刷媒体の偽造防止用に、真偽判定用の印刷パターンとして、不可視透明インキで電子透かしを埋め込んだパターンを印刷する技術が提案されている。
【先行技術文献】
【特許文献】
【０００５】
【特許文献１】特開２００６−１５７５４７号公報
【特許文献２】特開２００４−２４９６３６号公報
【特許文献３】特開２００２−０６４７００号公報
【発明の概要】
【発明が解決しようとする課題】
【０００６】
一方で近年、電子透かしはユーザのスマートフォン等の携帯端末装置のカメラで印刷媒体の絵柄を撮影して、その絵柄に埋め込んだ電子透かしパターンを読み取って、電子透かし情報をユーザに取得させる用途も普及し、簡易な情報入手手段としても電子透かしが使用されている。
【０００７】
そのため、電子透かしに、真贋判定の目的と、簡易な情報入力手段の目的との２つの目的を両立させる必要が生じてきた。
【０００８】
しかし、簡易な情報入力手段としての電子透かしでは、読取り易い電子透かしパターンが用いられ、その印刷媒体の印刷パターンをコピーした印刷したパターンからも電子透かしを読み取ることができる。そのため、その電子透かしパターンは、真贋判定の目的に併用することが難しい問題があった。
【０００９】
また、不可視透明インキで電子透かしを印刷する場合についても、その不可視透明インキを読み取る装置が悪意の第三者の手に渡って、それにより不可視透明インキのパターンが読み取られてセキュリティが破られて電子透かしが偽造される恐れもある問題があった。
【００１０】
このため、従来以上に電子透かしのセキュリティを高くして偽造を防ぎ、かつ、ユーザに電子透かし情報を読み取らせてサービスを提供する簡易な情報入力手段としての電子透かしも用いることができる電子透かし技術が必要になってきた。
【００１１】
そのため、本発明の課題は、印刷媒体に、ユーザ用の簡易な情報入力手段としての電子透かしを印刷し、かつ、運用者側がその印刷媒体の真贋を高いセキュリティで判定できる電子透かしを印刷し、印刷媒体から運用者及びユーザが必要な電子透かし情報を読み取ることができる情報処理システムを得ることである。
【課題を解決するための手段】
【００１２】
上記課題を解決するため、本発明は、印刷媒体と、情報管理サーバと、真贋判定端末装置と、ユーザの携帯端末装置で構成する情報処理システムであって、
前記印刷媒体には、不可視透明インキによって、電子透かしパターンを埋め込んだ第１の券面パターンを印刷し、更に、可視インキによって、電子透かしパターンを埋め込んだ第２の券面パターンを印刷し、
前記印刷媒体を前記真贋判定端末装置の撮影手段で撮影させて、前記第１の券面パターンの画像データと前記第２の券面パターンの画像データを取得させ、前記真贋判定端末装置と前記情報管理サーバを連携させて該画像データから電子透かしパターンによって埋め込んだ電子透かし情報を抽出し、第１の券面パターンに埋め込んだ電子透かし情報と第２の券面パターンに埋め込んだ電子透かし情報からＩＤ情報を算出し、該ＩＤ情報を前記情報管理サーバの記憶するデータと比較することで、前記印刷媒体の真贋を判定し、
一方で、ユーザの携帯端末装置には、カメラで前記印刷媒体を撮影させて前記第２の券面パターンの画像データを取得させ、前記携帯端末装置と前記情報管理サーバを連携させて該画像データから第２の券面パターンに埋め込んだ電子透かし情報を抽出し、前記情報管理サーバが、該電子透かし情報に従ってユーザサービス情報を作成して前記携帯端末装置に送信する
ことを特徴とする情報処理システムである。
【００１３】
本発明は、この構成により、印刷媒体に、ユーザ用の情報入力手段としての電子透かしを印刷し、かつ、運用者側がその印刷媒体の真贋を高いセキュリティで判定できる電子透かしを印刷し、印刷媒体から運用者及びユーザが必要な電子透かし情報を読み取ることができる効果がある。
【００１４】
また、本発明は、印刷媒体と、情報管理サーバと、真贋判定端末装置と、ユーザの携帯端末装置で構成する情報処理システムで用いる印刷媒体であって、
不可視透明インキによって電子透かしパターンを埋め込んだ第１の券面パターンが印刷され、更に、可視インキによって電子透かしパターンを埋め込んだ第２の券面パターンが印刷され、
前記真贋判定端末装置に、前記第１の券面パターンと前記第２の券面パターンを撮影させて画像データを取得させ、各画像データから、電子透かしによって埋め込んだ電子透かし情報を抽出させることで、前記真贋判定端末装置と前記報管理サーバを連携させて前記印刷媒体の真贋を判定させ、
一方で、ユーザの携帯端末装置には、カメラで前記印刷媒体を撮影させて前記第２の券面パターンの画像データを取得させ、該画像データから、電子透かしによって埋め込んだ電子透かし情報を抽出させることで、前記携帯端末装置と前記情報管理サーバを連携させて該電子透かし情報に従ったユーザサービスを提供させる
ことを特徴とする印刷媒体である。
【発明の効果】
【００１５】
本発明は、印刷媒体に、真贋判定端末装置で撮影する不可視透明インキによって、電子透かしパターンを埋め込んだ第１の券面パターンを印刷し、更に、可視インキによって、真贋判定端末装置及びユーザの携帯端末装置で撮影する電子透かしパターンを埋め込んだ第２の券面パターンを印刷して用いる。
【００１６】
そして、運用者側が、印刷媒体の真贋を判定するために、第１の鍵情報を用いて作成した乱数列に従う解析により第１の券面パターンに埋め込んだ電子透かし情報を抽出した上で、第２の鍵情報を用いて作成した乱数列に従う解析により第２の券面パターンに埋め込んだ電子透かし情報を抽出する２段階の暗号解析を行うことで、運用者の真贋判定端末装置が印刷媒体の真贋を判定するためのデータの秘匿性を高くできる。
【００１７】
本発明は、これにより、印刷媒体に、ユーザ用の簡易な情報入力手段としての電子透かしを印刷でき、かつ、運用者側が、印刷媒体の真贋を高いセキュリティで判定できる電子透かしを印刷し、印刷媒体から運用者及びユーザが必要な電子透かし情報を読み取ることができる効果がある。
【図面の簡単な説明】
【００１８】
【図１】本発明の第１の実施形態の情報処理システムの構成を示すブロック図である。
【図２】本発明の第１の実施形態の情報処理システムが印刷媒体を撮影して電子透かし情報を抽出するデータの流れを示すブロック図である。
【図３】本発明の第１の実施形態の情報処理システムが電子透かし情報を用いて、印刷媒体の真贋を判定する手順を示すフローチャート（その１）である。
【図４】本発明の第１の実施形態の情報処理システムが電子透かし情報を用いて、印刷媒体の真贋を判定する手順を示すフローチャート（その２）である。
【図５】本発明の第１の実施形態の情報処理システムが印刷媒体の電子透かし情報を用いてユーザサービス情報を作成する手順を示すフローチャートである。
【図６】本発明の第２の実施形態の情報処理システムの構成を示すブロック図である。
【図７】本発明の第２の実施形態の情報処理システムが印刷媒体を撮影して電子透かし情報を抽出するデータの流れを示すブロック図である。
【図８】本発明の第２の実施形態の情報処理システムが電子透かし情報を用いて、印刷媒体の真贋を判定する手順を示すフローチャート（その１）である。
【図９】本発明の第２の実施形態の情報処理システムが電子透かし情報を用いて、印刷媒体の真贋を判定する手順を示すフローチャート（その２）である。
【図１０】本発明の第２の実施形態の情報処理システムが印刷媒体の電子透かし情報を用いてユーザサービス情報を作成する手順を示すフローチャートである。
【発明を実施するための形態】
【００１９】
＜第１の実施形態＞
以下本発明の第１の実施形態を図１から図５を参照して説明する。
【００２０】
（システム構成）
図１に示すように、本発明の情報処理システムは、印刷媒体１０を観察する、ユーザの携帯端末装置１００と、運用者の真贋判定端末装置２００と、情報管理サーバ３００とで構成する。
【００２１】
図１のシステム構成では、携帯端末装置１００が電子透かし情報抽出手段１１０を備え、真贋判定端末装置２００が電子透かし情報抽出手段２３１を備えているシステム構成を示すが、第２の実施形態の図６の様に、情報管理サーバ３００の電子透かし情報抽出手段３１０が、携帯端末装置１００や真贋判定端末装置２００から送信された画像データを解析して電子透かしパターンを抽出する構成を用いることもできる。
【００２２】
（印刷媒体１０）
本発明で用いる印刷媒体１０として、ユーザの身分証明書、入構許可証、通行許可証など各種の証明を行うためのＩＤカードや、商品券、金券、株券などの有価証券類、保険証書、領収証などの証書類、あるいは、真贋を判定すべき商品のラベル等がある。
【００２３】
その印刷媒体１０に偽造防止用の電子透かしを埋め込んだパターンを印刷するとともに、ユーザに読み取らせて情報を与えるための電子透かしを埋め込んだパターンを印刷して用いる。
【００２４】
印刷媒体１０には、例えば、四角板状に形成された基材１１を備える。基材１１としては、例えば、紙基材、ＰＥＴ（polyethylene terephthalate）等のフィルム基材を採用できる。インキ類の印刷については、スクリーン印刷法、グラビア印刷法、フレキソ印刷法、オフセット印刷法、インクジェット印刷法などの印刷方式や各種コーティング法などを用いて印刷する。
【００２５】
（各種の電子透かしパターン）
印刷媒体１０には、偽造防止用の第１の電子透かしパターンを、不可視透明インキ１２で印刷した第１の券面パターンに埋め込む。更に、第２の電子透かしパターンを可視インキ１３で印刷した第２の券面パターンに埋め込む。
【００２６】
図２のブロック図に示すデータの流れの様に、第２の電子透かしパターンはユーザの携帯端末装置１００にも撮影させてユーザに情報を与えることができる。ユーザは、印刷媒体１０を目視するのみでは、可視インキ１３で印刷した第２の券面パターンを観察でき、第２の電子透かしパターンによっては第２の券面パターンの絵柄のデザインは損なわれない。
【００２７】
一方、運用者の真贋判定端末装置２００は、不可視透明インキ１２により印刷された、真贋判定用の第１の電子透かしパターンが埋め込まれている第１の券面パターンを撮影する。そして、真贋判定端末装置２００は、第１の券面パターンの第１の券面画像データ２１２ａに埋め込まれた第１の電子透かし情報２３１ａを、電子透かし情報抽出手段２３１を用いて抽出する。
【００２８】
真贋判定端末装置２００は、更に、可視インキ１３で印刷された、第２の電子透かしパターンが埋め込まれている第２の券面パターンも撮影する。そして、真贋判定端末装置２００は、第２の券面パターンの第２の券面画像データ２２２ａに埋め込まれた第２の電子透かし情報２３１ｂを、電子透かし情報抽出手段２３１を用いて抽出する。
【００２９】
そして、真贋判定端末装置２００は、第１の電子透かし情報２３１ａと第２の電子透かし情報２３１ｂを情報管理サーバ３００に送信する。
【００３０】
情報管理サーバ３００は、真贋判定手段３２０を用いて、第１の電子透かし情報２３１ａと第２の電子透かし情報２３１ｂを演算して印刷媒体１０の真贋を判定し、その判定結果を真贋判定端末装置２００に送信する。
【００３１】
すなわち、真贋判定手段３２０は、第１の電子透かし情報２３１ａと第２の電子透かし情報２３１ｂが揃ったときにのみ印刷媒体１０の真贋を判定でき、その真贋判定結果を真贋判定端末装置２００に送信する。
【００３２】
（第１の電子透かしパターン）
ここで、第１の電子透かしパターンを印刷するための不可視透明インキ１２には、ブラックランプ（紫外線）又は赤外線（７８０ｎｍ以上）の照射により発光する、無色透明のインキが好ましい。例えば、波長８００ｎｍ近辺の赤外線を照射することにより、８８０ｎｍ以上の赤外線を発光するインキを用いることができる。
【００３３】
あるいは、この不可視透明インキ１２に、波長８００ｎｍ近辺の波長の赤外線を吸収するインキの層と、そのインキが赤外線を吸収して発熱することで、そのインキに重なる層に形成したインキが８８０ｎｍ以上の赤外線を発光する、２層のインキを用いて、９４０ｎｍ程度の赤外線検出器で赤外線の発色を検出することもできる。
【００３４】
透明な不可視透明インキ１２の第１の券面パターンは可視光では観察されず、また、そのインキのパターンは、特定の波長の赤外線を照射して、それと異なる特定の波長の赤外線で観察されるので、その不可視透明インキ１２の第１の券面パターンは容易には観察されず偽造が困難である。また、その第１の券面パターンに第１の電子透かしパターンを埋め込むことで更に印刷媒体１０の偽造を困難にできる効果がある。
【００３５】
また、第１の券面パターンに埋め込む第１の電子透かしパターンは、電子透かしパターンが本来は、印刷処理によって画像のコントラストが変質する等により電子透かし情報が失われてしまい、印刷パターンからは電子透かし情報が読み取れないようになる現象を利用して、偽造された券面パターンからは電子透かし情報が抽出できないようにする。
【００３６】
すなわち、その 第１の券面パターンを偽造しようとする場合には、その偽造されたパターンでは、画像が変質して第１の電子透かし情報２３１ａが第１の券面画像データ２１２ａ から失われてしまうように、第１の券面パターンに埋め込む第１の電子透かし情報２３１ａを弱くスペクトル拡散して印刷する。そうすることで、偽造しようとして撮影した第１の券面パターンの画像のコントラストが変化することでパターンが変質して第１の電子透かし情報２３１ａが 失われるようにする。
【００３７】
本来は印刷処理によって失われてしまう電子透かし情報を、第１の券面パターンにスペクトル拡散した電子透かしパターンを埋め込むことで、不可視光受光手段２１２が、第１の券面パターンを撮影し、得られた第１の券面画像データ２１２ａを、電子透かし情報抽出手段２３１が、第１の鍵情報を用いて作成した乱数列を用いて解析することで、第１の電子透かし情報２３１ａを読み取ることができるようにするが、第１の券面パターンの偽造は困難にする。
【００３８】
電子透かし情報のスペクトル拡散は、例えば、特許文献３等に記載されている技術を用いて、電子透かしの埋め込みの際に、第１の鍵情報を用いて作成した乱数列に従って、画像パターンにおける複数の周波数成分の値を変化させて第１の電子すかし情報２３１ａを含む第１の電子透かしパターンを第１の券面パターンに埋め込む。
【００３９】
この第１の電子透かしパターンから第１の電子透かし情報２３１ａを抽出する場合は、撮影した第１の券面画像データ２１２ａの周波数成分の値の変化と、第１の電子透かしパターンの第１の券面パターンへの埋め込みの際に用いた乱数列との相関値を評価し、その類似度が所定のしきい値を超えるか否かによって、電子透かしパターンが埋め込まれているか否かを判定する。
【００４０】
第１の電子透かしパターンでは、この第１の電子透かし情報２３１ａのスペクトル拡散の程度は、運用者の真贋判定端末装置２００が赤外線カメラ等の不可視光受光手段２１２を用いて第１の電子透かしパターンが埋め込まれた第１の券面パターンを撮影して第１の券面画像データ２１２ａを取得した場合には、電子透かし情報抽出手段２３１がその第１
の券面画像データ２１２ａから第１の電子透かし情報２３１ａを抽出できる。
【００４１】
しかし、その 第１の券面パターンを偽造しようとする場合には、その偽造されたパターンでは、画像が変質して第１の電子透かし情報２３１ａが第１の券面画像データ２１２ａ から失われてしまうように、第１の券面パターンに埋め込む第１の電子透かし情報２３１ａを弱くスペクトル拡散して印刷する。そうすることで、偽造しようとして撮影した第１の券面パターンの画像のコントラストが変化することでパターンが変質して第１の電子透かし情報２３１ａが 失われるようにできる。
【００４２】
こうして、不可視光受光手段２１２が、第１の券面パターンを撮影し、得られた第１の券面画像データ２１２ａを、電子透かし情報抽出手段２３１が、第１の鍵情報を用いて作成した乱数列を用いて解析することで、第１の電子透かし情報２３１ａを読み取ることができるようにするが、第１の券面パターンの偽造は困難にする。
【００４３】
（第２の電子透かしパターン）
可視インキ１３で印刷した、第２の電子透かしパターンを埋め込んだ第２の券面パターンは、運用者の真贋判定端末装置２００のカメラを用いて撮影することで第２の券面画像データ２２２ａを得る。また、ユーザの携帯端末装置１００のカメラで撮影することでも、第２の券面画像データ２２２ａを得ることができるようにする。
【００４４】
第２の券面パターンに埋め込む電子透かしは、強いスペクトル拡散処理により第２の電子透かし情報２３１ｂを埋め込んだ第２の券面パターンを印刷媒体１０に印刷して埋め込む。それにより、真贋判定端末装置２００の可視光受光手段２２２のカメラの撮影によっても、ユーザの携帯端末装置１００のカメラの撮影によっても、同じく第２の券面画像データ２２２ａが得られるようにする。そして、真贋判定端末装置２００の電子透かし情報抽出手段２３１のみならず、ユーザの携帯端末装置１００の電子透かし情報抽出手段１１０によっても、容易に第２の電子透かし情報２３１ｂが抽出できる様にする。
【００４５】
第２の電子透かしパターンの埋め込みは、第２の鍵情報を用いて作成した乱数列に従って、画像パターンにおける複数の周波数成分の値を変化させて第２の電子すかし情報２３１ｂを含む電子透かしパターンを第２の券面パターンに埋め込む。
【００４６】
真贋判定端末装置２００は、可視光受光手段２２２で第２の券面パターンを撮影し、それにより得た第２の券面画像データ２２２ａを電子透かし情報抽出手段２３１が、第２の鍵情報を用いて作成した乱数列を用いて解析することで、第２の電子透かし情報２３１ｂを抽出する。
【００４７】
また、ユーザの携帯端末装置１００は、カメラで第２の券面パターンを撮影し、それにより得た第２の券面画像データ２２２ａをユーザの携帯端末装置１００の電子透かし情報抽出手段１１０が、第２の鍵情報を用いて作成した乱数列を用いて解析することで、第２の電子透かし情報２３１ｂを抽出する。
【００４８】
そして、真贋判定端末装置２００は、第１の電子透かし情報２３１ａと第２の電子透かし情報２３１ｂを情報管理サーバ３００に送信し、情報管理サーバ３００は、真贋判定手段３２０を用いて、第１の電子透かし情報２３１ａと第２の電子透かし情報２３１ｂを演算して印刷媒体１０の真贋を判定し、その判定結果を真贋判定端末装置２００に送信する。
【００４９】
すなわち、真贋判定手段３２０は、第１の電子透かし情報２３１ａと第２の電子透かし情報２３１ｂが揃ったときにのみ印刷媒体１０の真贋を判定でき、その真贋判定結果を真
贋判定端末装置２００に送信する。
【００５０】
このように、情報管理サーバ３００の真贋判定手段３２０が印刷媒体１０の真贋を判定するために用いるデータを、第１の電子透かし情報２３１ａと第２の電子透かし情報２３１ｂに分けて、印刷媒体１０の券面パターンに埋め込んで印刷することで、真贋判定に用いるデータを、２種の電子透かしデータを用いることで印刷媒体１０の真贋を判定するためのデータの秘匿性を高くできる効果がある。
【００５１】
詳しくは、印刷媒体１０の真贋を判定するための第１の電子透かし情報２３１ａと第２の電子透かし情報２３１ｂを取得するためには、それぞれの電子透かし情報を抽出するためには、第１の鍵情報を用いて作成した乱数列に従う解析と、第２の鍵情報を用いて作成した乱数列に従う解析との、２度の暗号解析が必要になるので、運用者の真贋判定端末装置２００が印刷媒体１０の真贋を判定するためのデータの秘匿性を高くできる効果がある。
【００５２】
一方で、ユーザの携帯端末装置１００は、抽出した第２の電子透かし情報２３１ｂを情報管理サーバ３００に送信し、情報管理サーバ３００は、ユーザサービス手段３３０を用いて、第２の電子透かし情報２３１ｂから、ユーザの携帯端末装置１００を誘導するＵＲＬアドレス等の情報等を得て、ユーザの携帯端末装置１００をそのＵＲＬのインターネットのサイトに誘導して、ユーザに所定のサービスを提供する。
【００５３】
そのユーザに提供するサービスのための情報も、また、真贋判定端末装置２００による真贋判定用の情報も、ユーザが観察する印刷媒体１０の絵柄パターンに、絵柄の見栄えを損なわない電子透かしパターンで埋め込まれているので、印刷媒体１０に印刷された絵柄パターンの見栄えが損なわれない効果がある。
【００５４】
本実施形態は、こうして、印刷媒体１０に透明な不可視透明インキ１２で印刷した第１の券面パターンに第１の電子透かしパターンを埋め込み、また、印刷媒体１０に可視インキ１３で印刷した第２の券面パターンに第２の電子透かしパターンを埋め込む。
【００５５】
それにより、ユーザに観察される可視インキ１３で印刷された絵柄のパターンの見栄えを損なわずに、運用者の真贋判定端末装置２００が、情報管理サーバ３００と連携して、印刷媒体１０の真贋を判定できる効果がある。更に、ユーザが、印刷媒体１０の第２の券面パターンに埋め込まれた第２の透かし情報２３１ｂを含むパターンを携帯端末装置１００で撮影することによって、情報管理サーバ３００から所定のサービスを受けることができる情報処理システムが得られる効果がある。
【００５６】
（携帯端末装置１００）
携帯端末装置１００は、例えば、携帯電話やパーソナルコンピュータやディジタルカメラなどであり、チケットの券面などの印刷媒体１０の面に印刷された第２の券面パターンをカメラで撮影して第２の券面画像データ２２２ａを得る。
【００５７】
そして、携帯端末装置１００は、その第２の券面画像データ２２２ａを電子透かし情報抽出手段１１０を用いて解析することで第２の電子透かし情報２３１ｂを抽出する。
【００５８】
すなわち、電子透かし情報抽出手段１１０は、第２の鍵情報を用いて作成した乱数列を用いて、第２の券面画像データ２２２ａから第２の電子透かし情報２３１ｂを抽出する。
【００５９】
携帯端末装置１００は、その第２の電子透かし情報２３１ｂを、携帯電話通信網やインターネット網等で実現される通信ネットワークＮＷを介して、情報管理サーバ３００に送
信する。
【００６０】
情報管理サーバ３００のユーザサービス手段３３０が、その第２の電子透かし情報２３１ｂに従って、ユーザの携帯端末装置１００を、ユーザ用情報サイトに誘導する等の各種サービスを提供する。
【００６１】
（真贋判定端末装置２００）
運用者の真贋判定端末装置２００は、例えば、印刷媒体１０を添付した製品の販売店や、有価証券やチケットなどの印刷媒体１０を受け取る窓口等に設置する。例えば、製品の販売店などが、製品の入荷時に真贋判定端末装置２００を使って、入荷した製品の真贋を判定する。また、例えば、有価証券やチケットを受け取る窓口が真贋判定端末装置２００を使って、受け取った有価証券やチケットが本物かどうかを判定する。
【００６２】
真贋判定端末装置２００は、図１の様に、印刷媒体１０に赤外光等の参照光を照射する不可視参照光照射手段２１１と印刷媒体１０から不可視光の読取り光で画像を読み取る赤外線カメラ等の不可視光受光手段２１２と、印刷媒体１０への可視光照射手段２２１と可視光の反射光の画像を読み取るカメラ等の可視光受光手段２２２と、不可視光受光手段２１２と可視光受光手段２２２が読み取った画像データを演算処理する制御手段２３０で構成する。制御手段２３０は電子透かし情報抽出手段２３１を有する。
【００６３】
（変形例１）
変形例１として、印刷媒体１０に不可視透明インキ１２で印刷された第１の券面パターンが、真贋判定端末装置２００の不可視参照光照射手段２１１から紫外線や赤外光等の不可視の参照光を照射された場合に、可視光で発光する不可視透明インキ１２を用いることができる。変形例１では、その不可視透明インキ１２で印刷した第１の券面パターンを観察する手段に、可視光受光手段２２２を用いる。
【００６４】
真贋判定端末装置２００の制御手段２３０は、不可視光受光手段２１２や可視光受光手段２２２を制御して、印刷媒体１０に印刷された券面パターンを撮影して券面画像データを得、制御手段２３０の電子透かし情報抽出手段２３１が、その券面画像データから電子透かし情報を抽出する。
【００６５】
すなわち、電子透かし情報抽出手段２３１は、第１の鍵情報を用いて作成した乱数列を用いて、不可視光受光手段２１２が撮影した第１の券面画像データ２１２ａから第１の電子透かし情報２３１ａを抽出する。また、第２の鍵情報を用いて作成した乱数列を用いて、可視光受光手段２２２が撮影した第２の券面画像データ２２２ａから第２の電子透かし情報２３１ｂを抽出する。
【００６６】
そして、真贋判定端末装置２００は、抽出した電子透かし情報を、電話通信網やインターネット網等で実現される通信ネットワークＮＷを介して情報管理サーバ３００に送信する。制御手段２３０は、そうして情報管理サーバ３００と連携して印刷媒体１０の真贋を判定する。
【００６７】
（情報管理サーバ３００）
情報管理サーバ３００は、図１の様に、真贋判定手段３２０とユーザサービス手段３３０で構成する。
【００６８】
（真贋判定手段３２０）
情報管理サーバ３００の真贋判定手段３２０は、図２の様に、真贋判定端末装置２００から受信した第１の電子透かし情報２３１ａと第２の電子透かし情報２３１ｂとを演算し
たデータを用いて、印刷媒体１０の真贋を判定する。
【００６９】
詳しくは、真贋判定手段３２０は、第１の電子透かし情報２３１ａと、第２の電子透かし情報２３１ｂを演算することで、新ＩＤ情報を算出する。次に、真贋判定手段３２０が、算出した新ＩＤ情報を、情報管理サーバ３００のデータベースが記憶するＩＤ情報と照合して印刷媒体１０の真贋を判定する。すなわち、真贋判定手段３２０は、第１の電子透かし情報２３１ａと第２の電子透かし情報２３１ｂが揃ったときにのみ印刷媒体１０の真贋を判定でき、その真贋判定結果を真贋判定端末装置２００に送信する。
【００７０】
（ユーザサービス手段３３０）
また、情報管理サーバ３００のユーザサービス手段３３０は、ユーザの携帯端末装置１００から第２の電子透かし情報２３１ｂを受信した場合に、第２の電子透かし情報２３１ｂに従ってユーザの携帯端末装置１００に所定のサービスを提供する。
【００７１】
（動作手順）
以下で、本実施形態の情報処理システムの動作手順を、図３から図５を参照して説明する。
【００７２】
（真贋判定手順）
図３と図４は、図２に示す真贋判定端末装置２００の動作を説明するための処理フローであり、以下、その処理の流れについて説明する。
【００７３】
（ステップＳ１）
可視インキ１３の印刷パターンと不可視透明インキ１３による印刷パターンを有する印刷媒体１０に、不可視参照光照射手段２１１よりマーク４に対して赤外光を照射し、その反射を赤外線不可視光受光手段２１２により受光する。
【００７４】
こうして、第１の電子透かし入り印刷媒体１０をスキャンし、赤外線不可視光受光手段２１２が、赤外領域の吸収をチェックし、例えば１０００ｎｍの吸収率での第１の券面画像データ２１２ａを得る。
【００７５】
（ステップＳ２）
真贋判定端末装置２００の電子透かし情報抽出手段２３１が、読み取った第１の券面画像データ２１２ａに第１の電子透かし情報２３１ａが含まれるか否かを判定する。
【００７６】
すなわち、電子透かし情報抽出手段２３１は、第１の鍵情報を用いて作成した乱数列を用いて、第１の電子透かしパターンに係わる第１の券面画像データ２１２ａの相関係数を演算する。その相関係数が所定のしきい値を超えている場合に、第１の電子透かしパターンが存在すると判定する。
【００７７】
電子透かし情報抽出手段２３１が、第１の電子透かしパターンの存在を判定できなかった場合は、印刷媒体１０を偽造品と判定する。
【００７８】
（ステップＳ３）
電子透かし情報抽出手段２３１は、第１の電子透かしパターンの存在を判定できた場合は、第１の鍵情報を用いて作成した乱数列を用いて、第１の券面画像データ２１２ａから、例えば電子透かしＩＤ情報ＩＤ１０９８７等の第１の電子透かし情報２３１ａを抽出して記憶する。
【００７９】
（ステップＳ４）
次に、真贋判定端末装置２００が、印刷媒体１０に、可視光を照射し、その反射を可視光の可視光受光手段２２２により受光する。
【００８０】
こうして、第２の電子透かし入り印刷媒体１０をスキャンし、可視光で観察した第２の券面画像データ２２２ａを得る。
【００８１】
（ステップＳ５）
真贋判定端末装置２００の電子透かし情報抽出手段２３１が、第２の券面画像データ２２２ａに第２の電子透かし情報２３１ｂが含まれるか否かを判定する。
【００８２】
すなわち、電子透かし情報抽出手段２３１は、第２の鍵情報を用いて作成した乱数列を用いて、第２の電子透かしパターンに係わる第２の券面画像データ２２２ａの相関係数を演算する。その相関係数が所定のしきい値を超えている場合に、第２の電子透かしパターンが存在すると判定する。
【００８３】
電子透かし情報抽出手段２３１が、第２の電子透かしパターンの存在を判定できなかった場合は、印刷媒体１０を偽造品と判定する。
【００８４】
（ステップＳ６）
電子透かし情報抽出手段２３１は、第２の電子透かしパターンの存在を判定できた場合は、第２の鍵情報を用いて作成した乱数列を用いて、第２の券面画像データ２２２ａから、例えば電子透かしＩＤ情報ＩＤ１２３４５等の第２の電子透かし情報２３１ｂを抽出して記憶する。
【００８５】
（ステップＳ７）
真贋判定端末装置２００は、第１の電子透かし情報２３１ａの電子透かしＩＤ情報ＩＤ１０９８７と、第２の電子透かし情報２３１ｂの電子透かしＩＤ情報ＩＤ１２３４５を、通信ネットワークＮＷを介して情報管理サーバ３００に送信する。
【００８６】
（ステップＳ８）
次に、情報管理サーバ３００の真贋判定手段３２０は、第１の電子透かし情報２３１ａの電子透かしＩＤ情報ＩＤ１０９８７と、第２の電子透かし情報２３１ｂの電子透かしＩＤ情報ＩＤ１２３４５を演算することで、新ＩＤ情報の例えばＩＤ２０１８５等を算出する。
【００８７】
（ステップＳ９）
真贋判定手段３２０は、算出した新ＩＤ情報を、情報管理サーバ３００のデータベースが記憶するＩＤ情報と照合する。新ＩＤ情報が、情報管理サーバ３００が記憶するＩＤ情報に無かった場合は、印刷媒体１０を偽造品と判定してその旨の通知を通信ネットワークＮＷを介して真贋判定端末装置２００に送信する。
【００８８】
真贋判定手段３２０は、新ＩＤ情報が、情報管理サーバ３００のデータベースが記憶するＩＤ情報に在った場合は、印刷媒体１０を真正品と判定してその旨の通知を送信し、そのＩＤ情報に紐付けられてデータベースに記憶されている情報を通信ネットワークＮＷを介して真贋判定端末装置２００に送信する。
【００８９】
（ユーザへの情報提供手順）
次に、図５のフローチャートを参照して、ユーザが、スマートフォンなどの携帯端末装置１００のカメラで印刷媒体１０を撮影して第２の券面画像データ２２２ａを得て、第２の電子透かし情報２３１ｂを抽出し、第２の電子透かし情報２３１ｂを情報管理サーバ３
００に送信し、情報管理サーバ３００が所定の情報を携帯端末装置１００に送信してユーザへ情報を提供する処理の手順を説明する。
【００９０】
（ステップＳ１１）
携帯端末装置１００は、可視インキ１３の第２の電子透かしパターンを含む第２の券面パターンが印刷されている印刷媒体１０をカメラで撮影することで、可視光で観察される第２の券面画像データ２２２ａを得る。
【００９１】
（ステップＳ１２）
携帯端末装置１００の電子透かし情報抽出手段１１０が、読み取った第１の券面画像データ２１２ａから、第２の電子透かし情報２３１ｂの例えば電子透かしＩＤ情報ＩＤ１２３４５等を抽出する。携帯端末装置１００は、抽出した第２の電子透かし情報２３１ｂのＩＤ１２３４５を、通信ネットワークＮＷを介して情報管理サーバ３００に送信する。
【００９２】
（ステップＳ１３）
情報管理サーバ３００が、ユーザの携帯端末装置１００から第２の電子透かし情報２３１ｂの電子透かしＩＤ情報ＩＤ１２３４５を受信した場合に、ユーザサービス手段３３０が、ユーザサービス手段３３０のデータベースから、その第２の電子透かし情報２３１ｂの電子透かしＩＤ情報ＩＤ１２３４５に紐付けられてデータベースに記憶されている情報を読み出す。
【００９３】
例えば、データベースから、ユーザが参照するＵＲＬアドレス情報等のユーザサービス情報を読出し、通信ネットワークＮＷを介してユーザの携帯端末装置１００に送信する。それにより、ユーザの携帯端末装置１００をユーザ用情報サイトに誘導し、ユーザに各種サービスを提供する。
【００９４】
＜第２の実施形態＞
以下本発明の第２の実施形態を図６から図１０を参照して説明する。第２の実施形態は、可視インキ１３で印刷した第２の券面パターンに２つの電子透かしパターンを埋め込むことが第１の実施形態と相違する。
【００９５】
図６のシステム構成では、情報管理サーバ３００の電子透かし情報抽出手段３１０が、携帯端末装置１００や真贋判定端末装置２００から送信された画像データを解析して電子透かしパターンを抽出するシステム構成を示す。
【００９６】
しかし、第２の実施形態においても、第１の実施形態の図１と同様に、携帯端末装置１００に電子透かし情報抽出手段１１０を設け、真贋判定端末装置２００に電子透かし情報抽出手段２３１を設け、それぞれの端末装置が電子透かしパターンを抽出するシステム構成を用いることもできる。
【００９７】
（各種の電子透かしパターン）
印刷媒体１０には、偽造防止用の第１の電子透かしパターンを、不可視透明インキ１２で印刷した第１の券面パターンに埋め込む。可視インキ１３で印刷した第２の券面パターンには、運用者の真贋判定端末装置２００が読み込む第２の電子透かしパターンとユーザの携帯端末装置１００が読み込む第３の電子透かしパターンを埋め込む。
【００９８】
図７のブロック図に示すデータの流れの様に、第３の電子透かしパターンはユーザの携帯端末装置１００に撮影させてユーザに情報を与えるために用いる。ユーザは、印刷媒体１０を目視するのみでは、可視インキ１３で印刷した第２の券面パターンだけが観察できるが、その第２の券面パターンに埋め込まれている第３の電子透かしパターンは感知せず
目視で観察する第２の券面パターンの絵柄のデザインは損なわれない。
【００９９】
一方、運用者の真贋判定端末装置２００は、不可視透明インキ１２により印刷された、真贋判定用の第１の電子透かしパターンが埋め込まれている第１の券面パターンを撮影する。真贋判定端末装置２００は、更に、可視インキ１３で印刷された、真贋判定用の第２の電子透かしパターンが埋め込まれている第２の券面パターンも撮影する。
【０１００】
そして、真贋判定端末装置２００は、両者の画像データを情報管理サーバ３００に送信し、情報管理サーバ３００が電子透かし情報抽出手段３１０を用いて、両者の画像データから、それぞれに埋め込まれた電子透かし情報を抽出する。そして、真贋判定手段３２０が、両者の電子透かし情報を演算して印刷媒体１０の真贋を判定し、その判定結果を真贋判定端末装置２００に送信する。
【０１０１】
すなわち、真贋判定手段３２０は、第１の電子透かし情報３１０ａと第２の電子透かし情報３１０ｂが揃ったときにのみ印刷媒体１０の真贋を判定でき、その真贋判定結果を真贋判定端末装置２００に送信する。
【０１０２】
（第１の電子透かしパターン）
ここで、不可視透明インキ１２で印刷する第１の券面パターンに埋め込む第１の電子透かしパターンは第１の実施形態と同様に構成する。
【０１０３】
（第２の電子透かしパターン）
可視インキ１３で印刷した、第２の電子透かしパターンを埋め込んだ第２の券面パターンは、運用者の真贋判定端末装置２００のカメラを用いて撮影することで第２の券面画像データ２２２ａを得る。第２の券面パターンに埋め込んだ第２の電子透かし情報３１０ｂは、真贋判定端末装置２００の可視光受光手段２２２のカメラが読み取る事ができる程度に第２の電子透かし情報３１０ｂがスペクトル拡散されて埋め込まれた第２の券面パターンを印刷媒体１０に印刷する。
【０１０４】
ただし、第２の電子透かしパターンが偽造される偽造を防ぐため、悪意の第三者が通常の解像度のカメラを用いて印刷媒体１０から第２の電子透かしパターンを含む第２の券面画像データ２２２ａを撮影して印刷媒体１０に印刷して偽造される事態への対策のために以下の様に第２の券面パターンを印刷する。
【０１０５】
すなわち、撮影した第２の券面画像データ２２２ａを用いて第２の券面パターンを再度印刷して偽造しようとても、その偽造されたパターンでは、画像のコントラストが変化することでパターンが変質する等により第２の電子透かし情報３１０ｂが失われてしまう程度に第２の電子透かし情報３１０ｂを弱くスペクトル拡散して第２の券面パターンに埋め込んで印刷する。
【０１０６】
第２の電子透かしパターンの埋め込みは、第２の鍵情報を用いて作成した乱数列に従って、画像パターンにおける複数の周波数成分の値を変化させて第２の電子すかし情報３１０ｂを含む電子透かしパターンを第２の券面パターンに埋め込む。
【０１０７】
しかし、その第２の券面パターンを偽造しようとする場合には、その偽造されたパターンでは、画像が変質して第２の電子透かし情報３１０ｂが第２の券面画像データ２２２ａ から失われてしまうように、第２の券面パターンに埋め込む第２の電子透かし情報３１０ｂを弱くスペクトル拡散して印刷する。そうすることで、偽造しようとして撮影した第２の券面パターンの画像のコントラストが変化することでパターンが変質して第２の電子透かし情報３１０ｂが失われるようにできる。
【０１０８】
そして、可視光受光手段２２２が、第２の券面パターンを撮影し、その画像データを情報管理サーバ３００に送信する。そして、情報管理サーバ３００の電子透かし情報抽出手段３１０が、第２の鍵情報を用いて作成した乱数列を用いて第２の券面画像データ２２２ａを解析することで、第２の電子透かし情報３１０ｂを読み取ることができるようにするが、第２の券面パターンの偽造は困難にする。
【０１０９】
ここで、情報管理サーバ３００の電子透かし情報抽出手段３１０が第１の券面画像データ２１２ａから抽出する第１の電子透かし情報３１０ａと、第２の券面画像データ２２２ａから抽出する第２の電子透かし情報３１０ｂとは、両者が組み合わされて情報管理サーバ３００の真贋判定手段３２０で演算されることで、ＩＤ情報が算出される様にデータを設定する。真贋判定手段３２０が、そのＩＤ情報を検証することで、印刷媒体１０の真贋を判定する。
【０１１０】
このように、情報管理サーバ３００の真贋判定手段３２０が検証するＩＤ情報を、不可視光の読取り光で画像を読み取る不可視光受光手段２１２が撮影して取得する第１の券面画像データ２１２ａに含ませる第１の電子透かし情報３１０ａと、可視光で画像を読み取る可視光受光手段２２２が撮影して取得する第２の券面画像データ２２２ａに含ませる第２の電子透かし情報３１０ｂとに分けて、透かしパターンを券面パターンに埋め込むことで、ＩＤ情報の秘匿性を高くできる効果がある。
【０１１１】
（第３の電子透かしパターン）
可視インキ１３で印刷媒体１０に印刷する第３の電子透かしパターンは、第２の電子透かしパターンと一緒に、可視光で観察される第２の券面パターンに埋め込む。第３の電子透かしパターンは、第２の電子透かしパターンとは違い、強いスペクトル拡散処理により第３の電子透かし情報３１０ｃを第２の券面パターンに埋め込む。それにより、ユーザの携帯端末装置１００が、拡散された第３の電子透かし情報を容易に読み取れる様にする。
【０１１２】
第３の電子透かしパターンの埋め込みは、第３の鍵情報を用いて作成した乱数列に従って、画像パターンにおける複数の周波数成分の値を変化させて第３の電子すかし情報３１０ｃを含む電子透かしパターンを第２の券面パターンに埋め込む。
【０１１３】
可視光で観察される第２の券面パターンを、ユーザの携帯端末装置１００のカメラで撮影させて第３の券面画像データを得て、その第３の券面画像データ１００ａを情報管理サーバ３００に送信させる。この第３の券面画像データ１００ａでは、第３の電子透かし情報３１０ｃは含むが、第２の電子透かし情報３１０ｂは失われている。
【０１１４】
情報管理サーバ３００の電子透かし情報抽出手段３１０は、第３の鍵情報を用いて作成した乱数列を用いて、ユーザの携帯端末装置１００から受信した第３の券面画像データ１００ａから、ユーザ用の電子透かし情報である第３の電子透かし情報３１０ｃを、例えば、電子透かしＩＤ情報ＩＤ１２３４５を読取り、その情報をユーザサービス手段３３０に渡す。
【０１１５】
それにより、ユーザサービス手段３３０のデータベースに、第３の電子透かし情報３１０ｃの電子透かしＩＤ情報ＩＤ１２３４５に紐付けられて記憶されている情報、例えば、ユーザが参照するＵＲＬアドレス情報等のユーザサービス情報を通信ネットワークＮＷを介してユーザの携帯端末装置１００に送信する。それにより、例えば、ユーザの携帯端末装置１００をユーザ用情報サイトに誘導し、ユーザに各種サービスを提供するようにする。
【０１１６】
この様に、ユーザの携帯端末装置１００が、印刷媒体１０に印刷された第２の券面パターンに埋め込まれた第３の電子透かしパターンを、携帯端末装置１００カメラによって撮影して第３の券面画像データ１００ａを得て、第３の券面画像データ１００ａを情報管理サーバ３００に送信することで、ユーザが情報管理サーバ３００から所定のサービスを受けることができる。
【０１１７】
本実施形態は、こうして、印刷媒体１０に透明な不可視透明インキ１２で印刷した第１の券面パターンに第１の電子透かしパターンを埋め込み、また、印刷媒体１０に可視インキ１３で印刷した第２の券面パターンに第２の電子透かしパターンと第３の電子透かしパターンを埋め込む。
【０１１８】
それにより、ユーザに観察される可視インキ１３で印刷された絵柄のパターンの見栄えを損なわずに、運用者の真贋判定端末装置２００が、情報管理サーバ３００と連携して、印刷媒体１０の真贋を判定できる効果がある。更に、ユーザが、印刷媒体１０の第２の券面パターンに埋め込まれた第３の透かし情報３１０ｃを含むパターンを携帯端末装置１００で撮影することによって、情報管理サーバ３００から所定のサービスを受けることができる情報処理システムが得られる効果がある。
【０１１９】
（携帯端末装置１００）
携帯端末装置１００は、第１の実施形態と同様に構成する。携帯端末装置１００は、印刷媒体１０の面に印刷された第２の券面パターンをカメラで撮影して得た第３の券面画像データ１００ａを、携帯電話通信網やインターネット網等で実現される通信ネットワークＮＷを介して、情報管理サーバ３００に送信する。
【０１２０】
そして、情報管理サーバ３００の電子透かし情報抽出手段３１０に、その第３の券面画像データ１００ａから第３の電子透かし情報３１０ｃを抽出させ、ユーザサービス手段３３０から、携帯端末装置１００がユーザ用情報サイトに誘導する等の各種サービスを受ける。
【０１２１】
（真贋判定端末装置２００）
運用者の真贋判定端末装置２００は、第１の実施形態と同様に構成する。真贋判定端末装置２００の制御手段２３０は、不可視光受光手段２１２や可視光受光手段２２２を制御して、印刷媒体１０に印刷された券面パターンを撮影して券面画像データを得、その券面画像データを、電話通信網やインターネット網等で実現される通信ネットワークＮＷを介して情報管理サーバ３００に送信する。制御手段２３０は、そうして情報管理サーバ３００と連携して印刷媒体１０の真贋を判定する。
【０１２２】
（情報管理サーバ３００）
情報管理サーバ３００は、図６の様に、電子透かし情報抽出手段３１０と真贋判定手段３２０とユーザサービス手段３３０で構成する。
【０１２３】
（電子透かし情報抽出手段３１０）
図７の様に、情報管理サーバ３００の電子透かし情報抽出手段３１０は、真贋判定端末装置２００から受信した券面画像データから電子透かし情報を抽出する。
【０１２４】
すなわち、電子透かし情報抽出手段３１０は、第１の鍵情報を用いて作成した乱数列を用いて、不可視光受光手段２１２が撮影した第１の券面画像データ２１２ａから第１の電子透かし情報３１０ａを抽出する。また、第２の鍵情報を用いて作成した乱数列を用いて、可視光受光手段２２２が撮影した第２の券面画像データ２２２ａから第２の電子透かし情報３１０ｂを抽出する。
【０１２５】
電子透かし情報抽出手段３１０は、更に、第３の鍵情報を用いて作成した乱数列を用いて、ユーザの携帯端末装置１００から受信した第３の券面画像データ１００ａから第３の電子透かし情報３１０ｃを抽出する。
【０１２６】
（真贋判定手段３２０）
また、情報管理サーバ３００の真贋判定手段３２０は、第１の電子透かし情報３１０ａと第２の電子透かし情報３１０ｂとからＩＤ情報を算出し、そのＩＤ情報を用いて印刷媒体１０の真贋を判定する。
【０１２７】
すなわち、真贋判定手段３２０は、第１の電子透かし情報３１０ａと第２の電子透かし情報３１０ｂが揃ったときにのみ印刷媒体１０の真贋を判定できる。
【０１２８】
（ユーザサービス手段３３０）
また、情報管理サーバ３００は、ユーザの携帯端末装置１００のカメラが印刷媒体１０の第２の券面パターンを撮影して得た第３の券面画像データ１００ａを受信した場合に、電子透かし情報抽出手段３１０を用いて第３の電子透かし情報３１０ｃを抽出し、ユーザサービス手段３３０が、第３の電子透かし情報３１０ｃに従ってユーザの携帯端末装置１００に所定のサービスを提供する。
【０１２９】
（動作手順）
以下で、本実施形態の情報処理システムの動作手順を、図８から図１０を参照して説明する。
【０１３０】
（真贋判定手順）
また、図８と図９は、図７に示す真贋判定端末装置２００の動作を説明するための処理フローであり、以下、その処理の流れについて説明する。
【０１３１】
（ステップＳ１）
可視インキ１３の印刷パターンと不可視透明インキ１３による印刷パターンを有する印刷媒体１０に、不可視参照光照射手段２１１よりマーク４に対して赤外光を照射し、その反射を赤外線不可視光受光手段２１２により受光する。
【０１３２】
こうして、第１の電子透かし入り印刷媒体１０をスキャンし、赤外線不可視光受光手段２１２が、赤外領域の吸収をチェックし、例えば１０００ｎｍの吸収率での第１の券面画像データ２１２ａを得る。
【０１３３】
真贋判定端末装置２００は、読み取った第１の券面画像データ２１２ａを通信ネットワークＮＷを介して情報管理サーバ３００に送信する。
【０１３４】
（ステップＳ２）
情報管理サーバ３００は、電子透かし情報抽出手段３１０を用いて、第１の券面画像データ２１２ａに第１の電子透かし情報３１０ａが含まれるか否かを判定する。
【０１３５】
すなわち、電子透かし情報抽出手段３１０は、第１の鍵情報を用いて作成した乱数列を用いて、第１の電子透かしパターンに係わる第１の券面画像データ２１２ａの相関係数を演算する。その相関係数が所定のしきい値を超えている場合に、第１の電子透かしパターンが存在すると判定する。
【０１３６】
電子透かし情報抽出手段３１０が、第１の電子透かしパターンの存在を判定できなかっ
た場合は、印刷媒体１０を偽造品と判定してその旨の通知を真贋判定端末装置２００に送信する。
【０１３７】
（ステップＳ３）
電子透かし情報抽出手段３１０は、第１の電子透かしパターンの存在を判定できた場合は、第１の鍵情報を用いて作成した乱数列を用いて、第１の券面画像データ２１２ａから、例えば電子透かしＩＤ情報ＩＤ１０９８７等の第１の電子透かし情報３１０ａを抽出して記憶する。
【０１３８】
（ステップＳ４）
次に、真贋判定端末装置２００が、印刷媒体１０に、可視光を照射し、その反射を可視光の可視光受光手段２２２により受光する。
【０１３９】
こうして、第２の電子透かし入り印刷媒体１０をスキャンし、可視光で観察した第２の券面画像データ２２２ａを得る。
【０１４０】
真贋判定端末装置２００は、読み取った第２の券面画像データ２２２ａを通信ネットワークＮＷを介して情報管理サーバ３００に送信する。
【０１４１】
（ステップＳ５）
情報管理サーバ３００は、電子透かし情報抽出手段３１０を用いて、第２の券面画像データ２２２ａに第２の電子透かし情報３１０ｂが含まれるか否かを判定する。
【０１４２】
すなわち、電子透かし情報抽出手段３１０は、第２の鍵情報を用いて作成した乱数列を用いて、第２の電子透かしパターンに係わる第２の券面画像データ２２２ａの相関係数を演算する。その相関係数が所定のしきい値を超えている場合に、第２の電子透かしパターンが存在すると判定する。
【０１４３】
電子透かし情報抽出手段３１０が、第２の電子透かしパターンの存在を判定できなかった場合は、印刷媒体１０を偽造品と判定してその旨の通知を真贋判定端末装置２００に送信する。
【０１４４】
（ステップＳ６）
電子透かし情報抽出手段３１０は、第２の電子透かしパターンの存在を判定できた場合は、第２の鍵情報を用いて作成した乱数列を用いて、第２の券面画像データ２２２ａから、例えば電子透かしＩＤ情報ＩＤ１２３４５等の第２の電子透かし情報３１０ｂを抽出して記憶する。
【０１４５】
（ステップＳ７）
次に、情報管理サーバ３００の真贋判定手段３２０は、第１の電子透かし情報３１０ａの電子透かしＩＤ情報ＩＤ１０９８７と、第２の電子透かし情報３１０ｂの電子透かしＩＤ情報ＩＤ１２３４５を演算することで、新ＩＤ情報の例えばＩＤ２０１８５等を算出する。
【０１４６】
（ステップＳ８）
真贋判定手段３２０は、算出した新ＩＤ情報を、情報管理サーバ３００のデータベースが記憶するＩＤ情報と照合する。新ＩＤ情報が、情報管理サーバ３００が記憶するＩＤ情報に無かった場合は、印刷媒体１０を偽造品と判定してその旨の通知を通信ネットワークＮＷを介して真贋判定端末装置２００に送信する。
【０１４７】
真贋判定手段３２０は、新ＩＤ情報が、情報管理サーバ３００のデータベースが記憶するＩＤ情報に在った場合は、印刷媒体１０を真正品と判定してその旨の通知を送信し、そのＩＤ情報に紐付けられてデータベースに記憶されている情報を通信ネットワークＮＷを介して真贋判定端末装置２００に送信する。
【０１４８】
すなわち、真贋判定手段３２０は、第１の電子透かし情報３１０ａと第２の電子透かし情報３１０ｂが揃ったときにのみ印刷媒体１０の真贋を判定でき、その真贋判定結果を真贋判定端末装置２００に送信する。
【０１４９】
（ユーザへの情報提供手順）
次に、図１０のフローチャートを参照して、ユーザが、スマートフォンなどの携帯端末装置１００のカメラで印刷媒体１０を撮影して得た第３の券面画像データ１００ａを情報管理サーバ３００に送信し、情報管理サーバ３００が第３の電子透かし情報３１０ｃを抽出し、所定の情報を携帯端末装置１００に送信してユーザへ情報を提供する処理の手順を説明する。
【０１５０】
（ステップＳ１１）
携帯端末装置１００は、可視インキ１３の第３の電子透かしパターンを含む第２の券面パターンが印刷されている印刷媒体１０をカメラで撮影することで、可視光で観察される第３の券面画像データ１００ａを得、通信ネットワークＮＷを介して情報管理サーバ３００に送信する。
【０１５１】
（ステップＳ１２）
情報管理サーバ３００は、ユーザの携帯端末装置１００から第３の券面画像データ１００ａを受信した場合に、電子透かし情報抽出手段３１０を用いて、第３の券面画像データ１００ａから、例えば電子透かしＩＤ情報ＩＤ５６７８９等の第３の電子透かし情報３１０ｃを抽出する。
【０１５２】
電子透かし情報抽出手段３１０は、読み取った第３の電子透かし情報３１０ｃをユーザサービス手段３３０に渡す。
【０１５３】
（ステップＳ１３）
ユーザサービス手段３３０は、第３の電子透かし情報３１０ｃの電子透かしＩＤ情報ＩＤ５６７８９を受信した場合に、ユーザサービス手段３３０のデータベースから、その第３の電子透かし情報３１０ｃの電子透かしＩＤ情報ＩＤ５６７８９に紐付けられてデータベースに記憶されている情報を読み出す。
【０１５４】
例えば、データベースから、ユーザが参照するＵＲＬアドレス情報等のユーザサービス情報を読出し、通信ネットワークＮＷを介してユーザの携帯端末装置１００に送信する。それにより、ユーザの携帯端末装置１００をユーザ用情報サイトに誘導し、ユーザに各種サービスを提供する。
【符号の説明】
【０１５５】
１０・・・印刷媒体
１１・・・基材
１２・・・不可視透明インキ
１３・・・可視インキ
１００・・・携帯端末装置
１１０・・・電子透かし情報抽出手段
１００ａ・・・第３の券面画像データ
２００・・・真贋判定端末装置
２１１・・・不可視参照光照射手段
２１２・・・不可視光受光手段
２１２ａ・・・第１の券面画像データ
２２１・・・可視光照射手段
２２２・・・可視光受光手段
２２２ａ・・・第２の券面画像データ
２３０・・・制御手段
２３１・・・電子透かし情報抽出手段
２３１ａ・・・第１の電子透かし情報
２３１ｂ・・・第２の電子透かし情報
３００・・・情報管理サーバ
３１０・・・電子透かし情報抽出手段
３１０ａ・・・第１の電子透かし情報
３１０ｂ・・・第２の電子透かし情報
３１０ｃ・・・第３の電子透かし情報
３２０・・・真贋判定手段
３３０・・・ユーザサービス手段
ＮＷ・・・通信ネットワーク
【図１】
2020005087.tif 000003
【図２】
2020005087.tif 000004
【図３】
2020005087.tif 000005
【図４】
2020005087.tif 000006
【図５】
2020005087.tif 000007
【図６】
2020005087.tif 000008
【図７】
2020005087.tif 000009
【図８】
2020005087.tif 000010
【図９】
2020005087.tif 000011
【図１０】
2020005087.tif 000012